(57)【特許請求の範囲】
【請求項１】
玄関に設置した玄関インタフォンと各居室に設置され前記玄関インタフォンからの呼び出しに応答可能な居室インタフォンを備えた集合住宅に設置されるエレベータであって、
前記居室インタフォンは、前記玄関インタフォンと通話を行い、入館を許可するとき操作される解錠手段が設置され、
前記エレベータは、
乗りかごの荷重を計測してかご内搭乗人数を演算するかご内搭乗人数演算手段と、
玄関ホールに設置され、該ホールに乗りかごを呼び出すホール呼び手段と、
乗りかご内に設置され、行き先階を表す入力を受け付けるかご呼びボタンと、
エレベータの運行を制御する制御装置を備え、
該制御装置は、
前記ホール呼び出し手段およびかご呼びボタンの操作を通常時において無効に設定し、前記居室インタフォンによる解錠操作を受信したとき、前記ホール呼び出し手段およびかご呼びボタンの操作を有効に設定する手段と、
各居室インタフォンによる解錠操作の回数を累積して操作回数テーブルに登録する手段を備え、
前記操作回数テーブルに登録された各居室インタフォンによる解錠操作の累積回数と前記かご内搭乗人数演算手段が演算したかご内搭乗人数を比較し、両者が一致するまで前記ホール呼び出し手段およびかご呼びボタンの操作を有効とすることを特徴とするエレベータ制御システム。
【請求項２】
玄関に設置した玄関インタフォンと各居室に設置され前記玄関インタフォンからの呼び出しに応答可能な居室インタフォンを備えた集合住宅に設置されるエレベータであって、  前記居室インタフォンは、前記玄関インタフォンと通話を行い、入館を許可するとき操作される解錠手段が設置され、
前記エレベータは、
乗りかごの荷重を計測してかご内搭乗人数を演算するかご内搭乗人数演算手段と、
玄関ホールに設置され、該ホールに乗りかごを呼び出すホール呼び手段と、
乗りかご内に設置され、行き先階を表す入力を受け付けるかご呼びボタンと、
エレベータの運行を制御する制御装置を備え、
該制御装置は、
前記ホール呼び出し手段およびかご呼びボタンの操作を通常時において無効に設定し、前記居室インタフォンによる解錠操作を受信したとき、前記ホール呼び出し手段およびかご呼びボタンの操作を有効に設定する手段と、
各居室インタフォンによる解錠操作の回数を累積して操作回数テーブルに登録する手段を備え、
前記操作回数テーブルに登録された各居室インタフォンによる解錠操作の累積回数と前記かご内搭乗人数演算手段が演算したかご内搭乗人数、および前記操作回数テーブルに登録された解錠操作の累積回数とかご呼び登録回数とをそれぞれ比較し、それぞれが一致するまで前記ホール呼び出し手段およびかご呼びボタンの操作を有効とすることを特徴とするエレベータ制御システム。
【発明の詳細な説明】
【技術分野】
【０００１】
本発明は、エレベータ制御システムに係り、特に、集合住宅に設置されるエレベータを安全に運行制御するエレベータ制御システムに関する。
【背景技術】
【０００２】
集合住宅においては、集合住宅の居住者あるいは訪問者等の安全を確保するため、エレベータの運行に、様々な制限を課す場合がある。
【０００３】
例えば、特許文献１には、玄関からエレベータ内まで継続して訪問者をモニタにより監視し、訪問者が不審者である場合は、エレベータに最寄り階停止、玄関階への戻し運転、警備室や管理室への通報などの防犯機能を持たせることが示されている。
【０００４】
特許文献２には、集合住宅の居住者は、訪問客の集合住宅内への進入を許可する場合、オートロックドアを開放すると共に、乗りかごを集合玄関階床に移動させ、かつ、その乗りかごに乗り込めるように一定時間だけ集合玄関階床の乗場呼び釦の操作無効を解除する。また、訪問階床に乗りかごを移動させるために、行先階登録釦１９の訪問階床に該当する登録釦の操作無効を一定時間だけ解除されるようにエレベーターを制御することが示されている。
【０００５】
特許文献３には、通常ホール呼びを無効としておき、エントランスドア開錠に連動してホール呼びを有効とするが、所定時間内にエレベータホールに設置するテンキーで操作が行われない場合には、ホール呼びを無効に戻すことが示されている。
【特許文献１】特開平７−２１５６１７号公報
【特許文献２】特開２００５−２１２９４０号公報
【特許文献３】特開２００６−３２７７６４号公報
【発明の開示】
【発明が解決しようとする課題】
【０００６】
上述したように、集合住宅などに設置されるエレベータにおけるセキュリティを高めるために、ホールの呼び釦および乗りかご内行き先階釦を無効とするとともに、集合玄関などにインタホン親器をそなえ、各居室に設置されるインタホン子器と通話を行い、その結果居住者が入館を許可すれば、居室インタホンに設置される開錠手段を操作することで、はじめてホール釦および乗りかご内の行き先階釦を一定時限有効とし、さらに乗りかご内で行き先階釦を操作すると、再度、ホール呼び釦および乗りかご内行き先階釦を無効とするものが知られている。
【０００７】
しかし、複数の来訪者があり、同一階（玄関階床）において連続して居室インタホンの開錠操作が行われた場合においては、ホール釦および乗りかご内行き先階釦の有効登録回数は１回である。このため、１人目の来訪者がホール釦およびかご内行き先階釦を登録すると、ホール呼び釦および乗りかご内行き先階釦が再度無効となり、２人目以降の来訪者がホール釦およびかご内行き先階ボタンを登録できないことになる。このような場合、来訪者は集合玄関でインタホンにより、居住者を再度呼び出し、居室インタホンによる開錠操作を依頼する必要がある。
【０００８】
本発明は、このような問題点に鑑みてなされたのもで、２人目以降の来訪者に対する利便性を向上することのできるエレベータ制御システムを提供するものである。
【課題を解決するための手段】
【０００９】
本発明は上記課題を解決するため、次のような手段を採用した。
【００１０】
玄関に設置した玄関インタフォンと各居室に設置され前記玄関インタフォンからの呼び出しに応答可能な居室インタフォンを備えた集合住宅に設置されるエレベータであって、前記居室インタフォンは、前記玄関インタフォンと通話を行い、入館を許可するとき操作される解錠手段が設置され、前記エレベータは、乗りかごの荷重を計測してかご内搭乗人数を演算するかご内搭乗人数演算手段と、玄関ホールに設置され、該ホールに乗りかごを呼び出すホール呼び手段と、乗りかご内に設置され、行き先階を表す入力を受け付けるかご呼びボタンと、エレベータの運行を制御する制御装置を備え、該制御装置は、前記ホール呼び出し手段およびかご呼びボタンの操作を通常時において無効に設定し、前記居室インタフォンによる解錠操作を受信したとき、前記ホール呼び出し手段およびかご呼びボタンの操作を有効に設定する手段と、各居室インタフォンによる解錠操作の回数を累積して操作回数テーブルに登録する手段を備え、前記操作回数テーブルに登録された各居室インタフォンによる解錠操作の累積回数と前記かご内搭乗人数演算手段が演算したかご内搭乗人数を比較し、両者が一致するまで前記ホール呼び出し手段およびかご呼びボタンの操作を有効とする。
【発明の効果】
【００１１】
本発明は、以上の構成を備えるため、来訪者が連続した場合において、２人目以降の来訪者に対する利便性を向上することのできるエレベータ制御システムを提供することができる。
【発明を実施するための最良の形態】
【００１２】
以下、最良の実施形態を添付図面を参照しながら説明する。図１は、各階居室と集合玄関にセキュリティ用インタホン設置した場合のシステム構成を説明する図である。
【００１３】
各エレベータを制御する号機制御盤１内には、号機制御用ＭＰＵボード２が設置される。また、この号機制御用ＭＰＵボード２は、多重伝送路３を介して乗りかご上に設置されるかご制御ＭＰＵ４と接続され、さらに多重伝送路５を介して各階ホールに設置されるホール制御ＭＰＵ９１，９２，９３，９４と接続する。また、かご制御ＭＰＵ４にはかご内の搭乗人数を例えばその重量から演算する搭乗人数演算手段１８を接続する。
【００１４】
前記乗りかご上に設置されるかご制御ＭＰＵ４は、乗りかご内に設置された運転盤７およびかご呼び釦８１，８２，８３，８４を制御する。一方、前記ホール制御ＭＰＵ９１，９２，９３，９４は、各階床に設置されたホール釦６１，６２，６３，６４を制御する。
【００１５】
セキュリティ用インタホン制御器１１は多重伝送路１３および１４を介して、それぞれの居室に設置されたインタホン１５、および集合玄関に設置されたインタホン１６を制御する。居室に設置されたインタホン１５には開錠釦１７が設置される。またインタホン制御器１１は多重伝送路１２を介して号機制御用ＭＰＵボート２と接続する。
【００１６】
図２は、居室に設置されたインタホン１５に設置された解錠釦１７の操作を検出する処理を説明する図である。
【００１７】
号機制御盤１は、まずステップＳ１０において、居室インタホン１５に設置された解錠釦１７の操作に伴う信号（解錠操作信号）のオンエッヂの有無（立ち上がり部の有無）を検出する。解錠操作信号のオンエッヂを検出した場合、ステップＳ１１に進む。オンエッヂを検出ない場合は処理を終了する。
【００１８】
ステップＳ１１において、居室インターホン１５に設置された解錠釦の操作回数を記憶する図示しない居室インターホン操作回数インクリメントテーブルに記憶された操作回数（ＩＴＢ１）をインクリメントしてステップＳ１２に進む。
【００１９】
ステップＳ１２において、乗りかご内行き先階釦（かご呼び釦）およびホール釦を有効とする時限（有効時限）として、所定値を図示しないタイマ（ＴＩＭＥＲ１）にセットし処理を終了する。
【００２０】
図３は、「かご内行き先階釦」および「ホール釦」の「有効」および「無効」を制御する処理を説明する図である。  
まず、ステップＳ２０において、居室インタホンの操作回数テーブル記憶された値（ＩＴＢ１）が「０」より大であるか否かを判定し、「０」であればステップＳ２７に移行し、かご内行き先階釦およびホール釦を無効として処理を終了する。
【００２１】
前記判定の結果が「０」より大であれば、ステップＳ２１に移行する。ステップＳ２１において、かご内行き先階釦およびホール釦有効時限（ＴＩＭＥＲ１）の値が「０」より大であるか否かを判定し、「０」であればステップＳ２６に移行し、「０」より大であれば、前記有効時限（ＴＩＭＥＲ１）を減算し、ステップＳ２３において、かご内行き先階釦およびホール釦を有効とする。
【００２２】
すなわち、居室インターフォン１５に設置された解錠釦１７が操作されて、居室インターホン操作回数インクリメントテーブルに記憶された操作回数（ＩＴＢ１）の値が「０」より大であり、更に、前記所定値がセットされ時間経過とともに順次減算される有効時限（ＴＩＭＥＲ１）の値が「０」より大であれば、「かご内行き先階釦」および「ホール釦」は「有効」に設定される。
【００２３】
次に、ステップＳ２４において、居室インターホン操作回数インクリメントテーブルに記憶された操作回数（ＩＴＢ１）の値と搭乗人数を比較し等しい場合はステップＳ２５に移行し、等しくない場合は処理を終了する。ステップＳ２５において、居室インターホン操作回数インクリメントテーブルに記憶された操作回数（ＩＴＢ１）の値とかご呼び登録数を比較し等しい場合は居室インターホン操作回数ＩＴＢ１をクリアし、等しくない場合は、処理を終了する。なお、これらの処理は一定周期で繰り返し起動される。
【００２４】
すなわち、居室インターホンに設置された解錠釦１７の操作回数の総和である操作回数（ＩＴＢ１）の値が、搭乗人数に一致し、更にかご呼び登録回数に一致したとき（搭乗者が全てかご呼び登録したとき）、前記操作回数（ＩＴＢ１）の値をクリアする。操作回数（ＩＴＢ１）がクリアされることにより、制御装置は初期状態、すなわち、「かご内行き先階釦」および「ホール釦」は「無効」に設定される。
【００２５】
以上説明したように、本実施形態によれば、複数の来訪者があり、同一階（玄関階床）において連続して居室インタホンの開錠操作が行われた場合においても、それぞれの来訪者が、ホール釦および乗りかご内行き先階釦を登録することができる。すなわち、１人目の来訪者がホール釦およびかご内行き先階釦を登録した場合においても、ホール呼び釦および乗りかご内行き先階釦を無効とすることがない。このため、２人目以降の来訪者もホール釦およびかご内行き先階ボタンを登録することができる。
【図面の簡単な説明】
【００２６】
【図１】各階居室と集合玄関にセキュリティ用インタホン設置した場合のシステム構成を説明する図である。
【図２】居室に設置されたインタホンに設置された解錠釦の操作を検出する処理を説明する図である。
【図３】「かご内行き先階釦」および「ホール釦」の「有効」および「無効」を制御する処理を説明する図である。
【符号の説明】
【００２７】
１  号機制御盤
２  号機制御用ＭＰＵボード
３，５，１２，１３，１４  多重伝送路
４  かご制御用ＭＰＵ
７  運転盤
１１  セキュリティ用インタフォン制御器
１５  居室設置のインタフォン
１６  集合玄関設置のインタフォン
１７  解錠釦
１８  搭乗人数演算手段
６１，６２，６３，６４  ホール釦
８１，８２，８３，８４  かご呼び釦
９１，９２，９３，９４  ホール制御ＣＰＵ
【図１】
0005199644.tif 000002
【図２】
0005199644.tif 000003
【図３】
0005199644.tif 000004